(57)【要約】【課題】柄の長さを調整することが可能であり、かつその柄の長さを一定に保持することができる清掃具を提供する。【解決手段】長さを調整できる柄２と、前記柄２に着脱可能に取付けられる清掃部材３とを具備し、前記柄２は、相互にスライド可能な内筒４と外筒５とを有し、外筒５に係止手段８が設けられ、内筒４に前記係止手段８が係止される被係止手段が設けられ、前記係止手段８は係止凸部を有し、前記被係止手段はその係止凸部が係止される複数の係止凹部を有する。【選択図】図２
2008173331.tif 000002
【特許請求の範囲】
【請求項１】
長さを調整できる柄と、
前記柄に固着されまたは着脱可能に取付けられる清掃部材とを具備し、
前記柄は、相互にスライド可能な内筒と外筒とを有し、外筒に係止手段が設けられ、内筒に前記係止手段が係止される被係止手段が設けられ、前記係止手段は係止凸部を有し、前記被係止手段はその係止凸部が係止される複数の係止凹部を有することを特徴とする清掃具。
【請求項２】
請求項１に記載の清掃具において、
前記被係止手段を有する内筒は、断面が概略円形の金属製であって、軸方向に沿ってスリット条が形成されるとともに、そのスリット条に前記複数の係止凹部を片面に有する樹脂片が、樹脂片の幅方向両端に設けた凹溝に上記スリット条を挟む両側の縁部を挿入し、かつ前記片面を外側に向けた状態で嵌め込まれており、上記係止凹部の底面が平坦に形成されていることを特徴とする清掃具。
【請求項３】
請求項１または２に記載の清掃具において、
前記清掃部材は、首振り可能な清掃部材本体を有するとともに、首振り方向での位置を変えて設けた複数の係合穴と、これら複数の係合穴の一つに挿入される突起とを有し、前記突起が係合穴の一つに挿入されることで清掃部材本体を複数の角度の一つに固定することができるように構成されていることを特徴とする清掃具。
【発明の詳細な説明】
【技術分野】
【０００１】
本発明は、浴室などの水廻り箇所の清掃に好適な清掃具に関する。
【背景技術】
【０００２】
上記水回り箇所での清掃に用いる清掃具は従来から種々のものが多数提案されており、例えば浴槽下床面を清掃する清掃具として、柄の先端にブラシが設けられた構成のものが知られている（例えば特許文献１参照）。
【特許文献１】実開平３−１３８９３号公報
【発明の開示】
【発明が解決しようとする課題】
【０００３】
ところで、上記特許文献１の清掃具にあっては、柄の長さが一定となった構成であるため、例えば高低差の大きい清掃箇所に対して或いは清掃作業を行う人の身長によっては使い難い場合がある。そこで、柄の長さを可変できる構成とすることが望まれている。その構成として、柄を内筒と外筒で構成し、外筒の先端部に設けた回転部材を回して外筒先端部を径方向内側へ歪ませて内筒に対する締め付け力を調整することで、柄全体の長さを可変することができるようになったものが知られている。しかし、この構成による場合には、例えば回転部材の緩みにより清掃中に前記締め付け力が弱くなって柄の長さが変化するという難点があった。
【０００４】
本発明は、このような従来技術の課題を解決するためになされたもので、柄の長さを調整することが可能であり、かつその柄の長さを一定に保持することができる清掃具を提供することを目的とする。
【課題を解決するための手段】
【０００５】
請求項１の発明に係る清掃具は、長さを調整できる柄と、前記柄に固着されまたは着脱可能に取付けられる清掃部材とを具備し、前記柄は、相互にスライド可能な内筒と外筒とを有し、外筒に係止手段が設けられ、内筒に前記係止手段が係止される被係止手段が設けられ、前記係止手段は係止凸部を有し、前記被係止手段はその係止凸部が係止される複数の係止凹部を有することを特徴とする。
【０００６】
請求項２の発明に係る清掃具は、請求項１に記載の清掃具において、前記被係止手段を有する内筒は、断面が概略円形の金属製であって、軸方向に沿ってスリット条が形成されるとともに、そのスリット条に前記複数の係止凹部を片面に有する樹脂片が、樹脂片の幅方向両端に設けた凹溝に上記スリット条を挟む両側の縁部を挿入し、かつ前記片面を外側に向けた状態で嵌め込まれており、上記係止凹部の底面が平坦に形成されていることを特徴とする。
【０００７】
請求項３の発明に係る清掃具は、請求項１または２に記載の清掃具において、前記清掃部材は、首振り可能な清掃部材本体を有するとともに、首振り方向での位置を変えて設けた複数の係合穴と、これら複数の係合穴の一つに挿入される突起とを有し、前記突起が係合穴の一つに挿入されることで清掃部材本体を複数の角度の一つに固定することができるように構成されていることを特徴とする。
【発明の効果】
【０００８】
本発明の清掃具にあっては、柄の構造が、外筒に対して内筒を相対的に出し入れして係止凸部を複数の係止凹部の一つに係止する構造であるため、柄の長さの段階的な調整が可能になる。これにより、例えば清掃作業を行う人の身長に拘わらずに使い易くすることができるとともに、清掃対象面の高さ位置を選ばない。また、係止凸部と係止凹部との係止によるため、外筒と内筒との間の位置ズレを防止することができ、柄の長さを一定に保持することができる。更に、柄に対して清掃部材を着脱可能に取付ける構成とする場合には、清掃部材として複数種類のものを用意しておくことで、例えばバスタブの内側の平滑面に適したスポンジ束子や、浴室の凹凸のある床面に適した刷毛などを用意しておくことで、清掃対象面に応じて清掃部材を付け替えると、清掃対象面に最適な清掃が可能になる。
【０００９】
請求項２の清掃具による場合には、内筒自体が金属であっても、複数の係止凹部を有する被係止手段が樹脂で作製されているので、その係止凹部に係止させる係止凸部を有する係止手段を同様の樹脂で作製しても、係止凸部が摩耗により損傷することを抑制することができる。また、樹脂片をスリット条に嵌め込みにより取付けるので、仮に樹脂片を金属製の内筒に貼着等により取付ける場合よりも長期にわたり樹脂片の脱落を防止できる。更に、係止凹部の底面が平坦であるので、係止凸部が係止凹部に確実に引っ掛かり易くなり、抜け防止の向上化が図れる。
【００１０】
請求項３の清掃具による場合には、柄に対する清掃部材本体の角度をフリーにしたり、或いは一定角度に固定したりすることができる。よって、清掃の仕方の自由度が向上する。
【発明を実施するための最良の形態】
【００１１】
以下に本発明を具体的に説明する。
【００１２】
図１は本発明の一実施形態に係る清掃具を示す正面図であり、図２はその分解正面図である。
【００１３】
この清掃具１は、長さを調整できる柄２と、柄２の先端に着脱可能に取付けられる清掃部材３とを具備する。
【００１４】
柄２は内筒４と外筒５と把持部６とを有し、外筒５に対して内筒４を相対的に出し入れすることにより長さ調整が可能でかつ所定長さに固定できるようになっている。具体的には、内筒４は下側が平面状になった概略断面円形のもので、その下側の平面部分に係止凹部７ａを部分的に有する被係止部材７が設けられている（図３参照）。一方、外筒５は、内筒４よりも大きい内径を有するもので、その内側に、被係止部材７を有する内筒４が出入り可能に設けられている。外筒５の先端には、前記係止凹部７ａに係止する係止凸部８ａを有する係止手段８が設けられている。この係止手段８は、揺動可能になっていて、基端部（図３の右端部）をばね付勢力に抗して押し込むと先端側に設けた前記係止凸部８ａが内筒４の外表面から離れ、基端部を離すとばね付勢力により内筒４に接近して押圧する（図３参照）。よって、係止凸部８ａと係止凹部７ａとの相対的な位置を合わせることで、柄２を所定長さに固定できる。上記係止凸部８ａは先端面が平坦に形成されている。
【００１５】
内筒４はその先端側に取付部９を有する。取付部９は、断面が半円形の固定部９ａと、固定部９ａの先端部から分岐して後端側が固定部９ａに対して離隔距離を変化させる片持ち支持の揺動部９ｂと、揺動部９ｂの外側に設けたロック部９ｃとを備える。
【００１６】
清掃部材３は、内筒４の取付部９に着脱可能に取付けられる被取付部１０ａを有する支持部材１０と、清掃対象面（図示せず）に当接させる清掃部材本体１１とを有する。
【００１７】
支持部材１０は、基端側の被取付部１０ａが筒状に形成され、その筒状の被取付部１０ａの内側に取付部９を挿入して、被取付部１０ａに設けたロック穴１２に、ロック部９ｃを内側から係合させることで支持部材１０と柄２の内筒４とが一体化する。逆に、ロック部９ｃを押し込んでロック穴１２から外し柄２を引き抜くと、支持部材１０と柄２とを分離させ得る。
【００１８】
また、支持部材１０は、先端部に所定の間隔をあけた一対の支持片１３を有し、各支持片１３の内側には軸１３ａが設けられ（図４参照）、支持部材１０の先端側には、支持片１３よりも基端側にスライド部材１４がスライド可能に設けられている（図５参照）。
【００１９】
清掃部材本体１１は、支持部材１０と連結部１５を介して連結された支持板１６の下側に設けられている。この清掃部材本体１１は、最上層１１ａと中間層１１ｂと最下層１１ｃとからなる３層構造のスポンジで構成されている。
【００２０】
連結部１５は、支持板１６の上に設けられた、上部を半円状に形成された突出部１７と、上記一対の支持片１３とで構成されている。突出部１７の上部には、前後方向に円形孔１７ａが設けられ、この円形孔１７ａの両端部に前記軸１３ａを嵌め込んで、支持板１６と柄２とが連結される（図４参照）。
【００２１】
また、突出部１７の外周面には高さ位置、より詳細には後述する首振り動作を行う方向での位置を変えて２つの係止穴１８ａ、１８ｂが設けられている（図５参照）。これらの係止穴１８ａ、１８ｂの一方には、前記スライド部材１４の先端に設けた２つの突起１９が挿入される。このスライド部材１４は、基端側に前後両方の外向きに突出した凸部２０を有し、この両凸部２０を、支持部材１０に設けた凹部２１ａ、２１ｂのいずれかで止めることができる。両凸部２０を先端側の凹部２１ａで止めると、係止穴１８ａ、１８ｂの一方に突起１９の挿入が可能となって、清掃部材本体１１と柄２との傾き状態を固定することができる。このとき、突起１９を上側の係止穴１８ａに挿入すると、図１の実線で示すように清掃部材本体１１と柄２とが傾斜した状態となり、突起１９を下側の係止穴１８ｂに挿入すると、図１の二点鎖線で示すように清掃部材本体１１と柄２とが平行な状態となる。図１、図２中の１４ａはスライド部材１４をスライドさせる操作に用いる操作部である。
【００２２】
また、両凸部２０を後端側の凹部２１ｂで止めると、突起１９が突出部１７の外周面から離れた状態となって、清掃部材本体１１が柄２に対してフリーとなり自由に首振り動作を行うことができる。
【００２３】
前述した被係止手段７を有する内筒４は、図６に示すように、断面が概略円形の錆び難い金属製、例えばアルミニウム製であって、軸方向に沿ってスリット条４１が形成されるとともに、そのスリット条４１に被係止手段７が嵌め込まれている。被係止手段７は、前記複数の係止凹部７ａを片面に有する樹脂片で構成されていて、その樹脂片からなる被係止手段７の幅方向両端に設けた一対の凹溝７ｂ、７ｂに上記スリット条４１を挟む両側の縁部４２、４２を挿入し、かつ前記係止凹部７ａを外側に向けた状態で嵌め込まれている。この嵌め込みは、被係止手段７の凹溝７ｂと内筒４の縁部４２とを一致させた状態で、内筒４の軸方向一端側から被係止手段７をスライドさせることで行われる。そして、嵌め込み後に内筒４に対して被係止手段７を固定することで位置決めしている。また、上記係止凹部７ａの底面７ｃが平坦に形成されている。
【００２４】
このように構成された本実施形態に係る清掃具にあっては、柄２と清掃部材３とが分離可能であるので、清掃部材３として複数種類のもの、例えば図１に示した３層（１１ａ、１１ｂ、１１ｃ）構造のスポンジで構成された清掃部材本体１１を有する清掃部材３と、図７に示すように支持部材１０と連結部１５を介して連結された支持板１６の下側に設けられた刷毛からなる清掃部材本体１１Ａを有する清掃部材３Ａとを用意しておくことで、清掃対象面に応じて清掃部材３または３Ａを付け替えると、清掃対象面に最適な清掃が可能になる。このとき、清掃部材３と清掃部材３Ａとにおける各支持部材１０の被取付部１０ａを共通化させて、取付部９に対して付け替え可能な構成としておく。清掃部材３の場合には、例えばバスタブの内側の平滑面に適した清掃が可能で、清掃部材３Ａの場合には、例えば浴室の凹凸のある床面に適した清掃が可能である。なお、清掃部材３Ａは、清掃部材本体１１Ａを除く他の部分が清掃部材３と同様に構成されたものである。
【００２５】
また、本実施形態においては、外筒５に対して内筒４を相対的に出し入れして係止凸部８ａを複数の係止凹部７ａの一つに係止することで、柄２の長さを段階的に調整することができる。これにより、例えば清掃作業を行う人の身長に拘わらずに使い易くすることができるとともに、清掃対象面の高さ位置を選ばない。加えて、係止凸部８ａと係止凹部７ａの係止によるため、外筒５と内筒４との間の位置ズレを防止でき、柄２の長さを一定に保持することができる。更に、内筒４の取付部９に、清掃部材３の被取付部１０ａを取付けることで、柄２と清掃部材３とを一体化させ得る。そして、清掃部材本体１１、１１Ａを清掃対象面に当接させて清掃を行うことができる。更にまた、柄２に対する清掃部材本体１１、１１Ａの角度をフリーにしたり、或いは一定角度に固定したりすることができるので、清掃の仕方の自由度が向上する。
【００２６】
更に、本実施形態においては、内筒４自体が金属（例えばアルミニウム）であっても、複数の係止凹部７ａを有する被係止手段７が樹脂で作製されているので、その係止凹部７ａに係止させる係止凸部８ａを有する係止手段８を同様の樹脂で作製しても、係止凸部８ａが摩耗により損傷することを抑制することができる。また、樹脂片である被係止手段７をスリット条４１に嵌め込みにより取付けるので、仮に樹脂片である被係止手段７を金属製の内筒４に貼着等により取付ける場合よりも長期にわたり樹脂片である被係止手段７の脱落を防止できる。更に、係止凹部７ａの底面７ｃが平坦であるので、先端面が平坦な係止凸部８ａが係止凹部７ａに確実に引っ掛かり易くなり、抜け防止の向上化を図り得る。
【００２７】
なお、上述した実施形態では外筒５に対して内筒４を出し入れすることにより柄２の長さを調整するように構成しているが、本発明はこれに限らず、径が異なる３以上の筒体で柄を構成して長さ調整を行うようにしてもよい。
【００２８】
また、上述した実施形態では柄２に対して着脱可能に取付けられる清掃部材３として、清掃部材本体１１がスポンジからなるもの（図１参照）と刷毛からなるもの（図７参照）の２種類を例示しているが、本発明はこれに限らず、３種類以上のものを用いることができる。例えば、図示を省略するが、清掃部材本体１１が亀の子束子のようなブラシを用いたものなどを加えてもよい。このように多種類の清掃部材を用いることで、より好ましい状態で清掃を行うことが可能になる。
【００２９】
更に、上述した実施形態では柄２に対して清掃部材３が着脱可能に取付けられる構成としているが、本発明はこれに限らず、柄２と清掃部材３が分離不可能に固着された構成のものに対しても適用することができる。
【図面の簡単な説明】
【００３０】
【図１】本発明の一実施形態に係る清掃具を示す正面図である。
【図２】図１の分解正面図である。
【図３】柄を構成する内筒と外筒との繋ぎ部を示す正面図である。
【図４】清掃部材の構成を示す平面図である。
【図５】清掃部材の構成を図１の右側から見た右側面図である。
【図６】柄を構成する内筒の断面図である。
【図７】他の清掃部材の例を示す正面図である。
【符号の説明】
【００３１】
１    清掃具
２    柄
３、３Ａ    清掃部材
４    内筒
５    外筒
７    被係止部材
７ａ    係止凹部
７ｂ    凹溝
７ｃ    底面
８ａ    係止凸部
８    係止手段
９    取付部
１０ａ    被取付部
１０    支持部材
１１、１１Ａ    清掃部材本体
１５    連結部
１６    支持板
４１    スリット条
４２    縁部
【図１】
2008173331.tif 000003
【図２】
2008173331.tif 000004
【図３】
2008173331.tif 000005
【図４】
2008173331.tif 000006
【図５】
2008173331.tif 000007
【図６】
2008173331.tif 000008
【図７】
2008173331.tif 000009